(57)【要約】【課題】キッチンルームのコーナーの入隅部に上下に昇降自在に収納キャビネットを設けることのできるコーナーシステムキッチンを提供する。【解決手段】直交する二つの壁面に沿って略Ｌ字形に配設されるコーナーシステムキッチンＡであって、該コーナーシステムキッチンＡはコーナーの入隅部に昇降自在に配設される収納キャビネット１と、この収納キャビネット１とは別体のコーナーユニット２とからなり、該コーナーユニット２の中央カウンター２１には略扇形のシンク３が設けられ、シンク３の左右両カウンターはワークトップ４とされたコーナーシステムキッチンＡ。好ましくは、上記コーナーユニット２の中央カウンター２１前縁部の横幅ｄが少なくとも４５ｃｍとされる。【選択図】図４
2009072529.tif 000002
【特許請求の範囲】
【請求項１】
直交する二つの壁面に沿って略Ｌ字形に配設されるコーナーシステムキッチンであって、
該コーナーシステムキッチンはコーナーの入隅部に昇降自在に配設される収納キャビネットと、この収納キャビネットとは別体のコーナーユニットとからなり、該コーナーユニットの中央カウンターには略扇形のシンクが設けられ、シンクの左右両カウンターはワークトップとされたコーナーシステムキッチン。
【請求項２】
上記コーナーユニットの中央カウンター前縁部の横幅が少なくとも４５ｃｍである請求項１に記載のコーナーシステムキッチン。
【請求項３】
上記直交する二つの壁面にはそれぞれ、ガイドレールが埋設され、上記収納キャビネットの壁面側に設けられた二つの係合部が上記ガイドレールに昇降自在に係合される請求項１に記載のコーナーシステムキッチン。
【請求項４】
上記収納キャビネットの中に、さらに収納ラックが出没自在に設けられた請求項１に記載のコーナーシステムキッチン。
【発明の詳細な説明】
【技術分野】
【０００１】
本発明は住宅のダイニングキッチン等に設置され、キッチンユニットを組み合わせてなる、いわゆるシステムキッチンに関するものであり、特にキッチンルームの壁面に沿ってＬ字形に配設されるコーナーシステムキッチンに関する。
【背景技術】
【０００２】
一般的な戸建て住宅、マンション等集合住宅において、平均的な面積規模をもつ住宅では、調理空間と食事空間とを一体化させたダイニングキッチンを設けることが多い。ダイニングキッチンの一般的な構成は、一つ、または直交する二つの壁面に沿って、シンクやコンロを備えたユニットタイプのキッチンセットを配置し、そのキッチンセットの側方に冷蔵庫や食器棚を並べるとともに、キッチンセットの前面に適当な動線スペースを隔てて食卓を配置するというものである。
【０００３】
下記特開２００６−１３０３０９号公報には、その図１に示されているように、直交する二つの壁面に沿って平面視略Ｌ字形のワークトップが設置され、上記ワークトップのコーナー部にシンクが設けられるとともに、該コーナー部から一方の壁面に沿うワークトップの奥行きが４０ｃｍ〜５５ｃｍとなされる一方、該コーナー部から他方の壁面に沿うワークトップは、シンクから遠く隔離した部分における該壁面までの奥行きが、シンクの近傍における該壁面までの奥行きよりも大きくなるように、シンク部の前縁が湾曲して形成されたダイニングキッチン及びキッチンセットが開示されている。しかしながら、上記キッチンセットにおいては、直交する二つの壁面が形成する直角角部とシンクの後縁部とによって形成される平面視略三角形の部分はデッドスペースとなり、単に調理用品や調理材料を載置するスペースとして利用されるのみである。
【０００４】
そこで、特開平１１−５６４９３号公報には、上記デッドスペースに収納棚を設け、収納スペースとしたシステムキッチンＢが提案されている。すなわち、本願図６に示すように、シンク２ａを有する独立したコーナーユニット１ａが、壁７ａに沿って部屋の入隅部を正面とするように取り付けられるとともに、該コーナーユニット１ａの一側面に、天板上に調理面４ａおよびコンロ部５ａを有するワークユニット３ａが連結されてなるキッチンカウンターにおいて、コーナーユニット１ａからワークユニット３ａにわたる天板前端部を円弧状に窪ませたことを特徴とするシステムキッチンが提案され、シンク２ａを略扇形とし、上記した平面視略三角形の部分に収納棚６ａを設けたシステムキッチンが提案されている。
【特許文献１】特開２００６−１３０３０９号公報
【特許文献２】特開１１−５６４９３号公報
【発明の開示】
【発明が解決しようとする課題】
【０００５】
しかしながら、上記特許文献２に記載のシステムキッチンにおいては、常に収納棚６ａが配置されているため、時に収納棚６ａが置かれているデッドスペースに調理用品等の物を仮置きしたり、花を飾ってダイニングキッチンの雰囲気を変えたりしたい場合は、却って収納棚６ａが邪魔となり、あるいはシンクの使い勝手が悪くなるという問題がある。本発明はこのような問題を解決して、キッチンルームのコーナーの入隅部に上下に昇降自在に収納キャビネットを設けることのできるコーナーシステムキッチンを提供することを、その課題とする。
【課題を解決するための手段】
【０００６】
上記課題を解決するために、本願請求項１記載の発明にかかるコーナーシステムキッチンは、直交する二つの壁面に沿って略Ｌ字形に配設されるコーナーシステムキッチンであって、該コーナーシステムキッチンはコーナーの入隅部に昇降自在に配設される収納キャビネットと、この収納キャビネットとは別体のコーナーユニットとからなり、該コーナーユニットの中央カウンターには略扇形のシンクが設けられ、シンクの左右両カウンターをワークトップとしたことを特徴としている。
【０００７】
本願請求項２に記載の発明は、上記コーナーユニットの中央カウンター前縁部の横幅が少なくとも４５ｃｍであることを特徴としている。
【０００８】
本願請求項３に記載の発明は、上記直交する二つの壁面にはそれぞれ、ガイドレールが埋設され、上記収納キャビネットの壁面側に設けられた二つの係合部が上記ガイドレールに昇降自在に係合されることを特徴としている。
【０００９】
本願請求項４に記載の発明は、上記収納キャビネットの中に、さらに収納ラックが出没自在に設けられることを特徴としている。
【発明の効果】
【００１０】
本願請求項１記載の発明に係るコーナーシステムキッチンは、直交する二つの壁面に沿って略Ｌ字形に配設され、コーナーの入隅部に昇降自在に配設される収納キャビネットと、この収納キャビネットとは別体のコーナーユニットとからなり、上記収納キャビネットが昇降自在とされているため、下降させて床面に置いたときは、収納キャビネットの天面が載置台となり、調理用品や調理材料を載置するスペースとして利用できる。
【００１１】
また、該コーナーユニットの中央カウンターのカウンター面を最大に活かして略扇形のシンクが設けられているため、調理材料の洗浄や食器、調理用具の洗浄等を作業性よく行うことができる。
【００１２】
本願請求項２記載の発明に係るコーナーシステムキッチンにおいては、特に、上記中央カウンターの幅を少なくとも４５ｃｍとすることにより、使用者の作業スペースを確保し、余裕を持って身体を左右方向に動かすことができる。また、その前方に略扇形の大きいシンクが配設されているため、中華鍋等大きめの調理用品を作業性よく取り扱うことができる。
【００１３】
本願請求項３記載の発明に係るコーナーシステムキッチンにおいては、特に、上記壁面にはガイドレールが埋設され、上記収納キャビネットの壁面側に設けられた係合部が上記ガイドレールに昇降自在に係合するとともに、任意の位置で停止するようにされているため、調理作業の内容に合わせて、また、キッチンルームの雰囲気を変えられるように、容易に収納キャビネットの位置決めをすることができる。
【００１４】
本願請求項４記載の発明に係るコーナーシステムキッチンにおいては、上記収納キャビネットの中に、さらに収納ラックが出没自在に設けられているため、例えば、この収納ラックに網棚を設け、網棚の上段に種々の調理用品を載置し、下方の空間に種々の小物を収納することにより、収納キャビネットの空間を効率よく使用できる。
【発明を実施するための最良の形態】
【００１５】
図１は、本願発明の実施形態にかかるコーナーシステムキッチンＡを示す斜視図である。図２は、上記コーナーシステムキッチンＡを示す部分断面平面図である。図１、図２に示すように、上記コーナーシステムキッチンＡは、収納キャビネット１と、収納キャビネット１とは別体とされたコーナーユニット２とからなり、直交する二つの壁面Ｗに沿って平面視略Ｌ字形に配設される。
【００１６】
すなわち、直交する二つの壁面Ｗの入隅部には収納キャビネット１が昇降自在に設けられている。上記コーナーユニット２の略中央部は中央カウンター２１とされ、略扇形のシンク３が設けられるとともに、中央カウンター２１の前縁部の幅ｄは少なくとも４５ｃｍとされている。また、上記中央カウンター２１の両サイドは、ワークトップ４とされ、例えば、コンロ部５が設けられている。上記したように中央カウンター２１の前縁部が、少なくとも４５ｃｍとされ、空間が確保されているため、使用者はコンロ部５等ワークトップ上の調理器具を使い勝手よく使用できる。
【００１７】
一方、直交する二つの壁面Ｗには各々スライドレール６が埋設され、上記収納キャビネット１はその壁面側に設けられた図外係合手段によって上記スライドレール６に昇降自在に係合され、かつ任意の位置で停止できるようにされている。図１は上記収納キャビネット１を下降させて床面Ｆに置いた状態であり、この状態においては、収納キャビネット１の平面視略三角形の天面は中央カウンター２１と同一平面となるため、載置台として機能し、調理用品や調理材料を載置するスペースとして利用できる。
【００１８】
図３は、上記収納キャビネット１を使用者の手元に近付くように上昇させた状態を示す斜視図である。このように、収納キャビネット１を手近とすることにより、調理用具等を使い勝手よく、収納したり、出し入れすることができる。図４は、さらに収納キャビネット１を上昇させた状態を示し、天井近傍まで上昇させ、天井収納キャビネットとしても利用できる状態を示す斜視図である。この状態では、使用者の目の前の空間は大きくなり、多種な料理をするとき、大量に料理するとき等、作業性よく調理することができる。
【００１９】
また、本発明にかかるコーナーシステムキッチンにおいては、上記収納キャビネット１に平面視略三角形の昇降式の収納ラックを出没自在に設けることも可能である。図５は上記収納ラック１７を引き出した状態を示す縦断面図である。図５に示されるように、上記収納ラック１７は、収納キャビネット１内に出没自在に取付けられ、収納キャビネット１内で三角筒を構成する両側面下部には平行リンク装置１２と、この平行リンク装置１２を支持する昇降支持装置１４が筐体Ｋに収められ、左右に配設されている。上記平行リンク装置１２の上アーム１５には筐体Ｋとの隙間を埋めて筐体Ｋに摺動する突起状スライダー１６が嵌着固定されている。昇降支持装置１４は後述する収納ラックの出し入れを助成するばねやダンパーなどで構成される昇降補助手段（図示せず）を内蔵している。
【００２０】
上記平行リンク装置１２の遊端部には収納物を収納する収納ラック１７が連結されている。収納ラック１７の前面下部には収納キャビネット１の前面を覆う扉体１１のうち第２の部材である操作パネル１９が配設され、これには収納ラック１７を昇降操作する把手１８が設けてある。また収納ラック１７の中段には線材からなる網棚１７１が設けられている。
【００２１】
また、収納キャビネット１にヒンジ結合された上記扉体１１は、扉ステー１３によって収納ラック１７の上部奥に回動自在に連結され、扉ステー１３の他端に設けられたローラ１３１が回転することにより開閉自在とされている。上記のように構成することによって、収納ラック１７に物を出し入れした後は、把手１８を操作して収納ラック１７を収納キャビネット１内に収め、扉体１１と操作パネル１９によって収納キャビネット１の前面を閉じることができる。
【００２２】
以上述べたように、収納キャビネット１内に収納ラック１７を出没自在に収め、上記収納ラック１７の中段部に網棚１７１を設けることにより、網棚１７１の上に種々の調理用品を載置でき、また、下方の空間にも種々の小物を収納することができる。このように、本発明のコーナーシステムキッチンにかかる収納キャビネット１を昇降自在とし、また、収納ラック１７を出没自在に内設することにより、通常はデッドスペースとなるキッチンルームの入隅部を空間効率よく使用することができる。
【図面の簡単な説明】
【００２３】
【図１】本願発明の実施形態にかかるコーナーシステムキッチンを示す斜視図。
【図２】本願発明の実施形態にかかるコーナーシステムキッチンを示す部分断面平面図。
【図３】本願発明の実施形態にかかる収納キャビネットを使用者の手元に近付くように上昇させた状態を示す斜視図。
【図４】本願発明の実施形態にかかる収納キャビネットを天井近傍まで上昇させ、天井収納キャビネットとしても利用できる状態を示す斜視図。
【図５】本願発明にかかる収納キャビネットに平面視略三角形の昇降式の収納ラックを出没自在に設け、収納ラックを引き出した状態を示す縦断面図。
【図６】公知のシステムキッチンを示す平面図。
【符号の説明】
【００２４】
Ａ      本願発明にかかるコーナーシステムキッチン
Ｆ      床面
Ｗ      壁面
Ｋ      筐体
ｄ      中央カウンターの前縁部の幅
１      収納キャビネット
１１    扉体
１２    平行リンク装置
１３    扉ステー
１３１  ローラ
１４    昇降支持装置
１５    上アーム
１６    突起状スライダー
１７    収納ラック
１７１  網棚
１８    把手
１９    操作パネル
２      コーナーユニット
２１    中央カウンター
３      シンク
４      ワークトップ
５      コンロ部
６      スライドレール
Ｂ      公知のシステムキッチン
１ａ    上記におけるコーナーユニット
２ａ    上記におけるシンク
３ａ    上記におけるワークユニット
４ａ    上記における調理面
５ａ    上記におけるコンロ部
６ａ    上記における収納棚
７ａ    上記における壁
【図１】
2009072529.tif 000003
【図２】
2009072529.tif 000004
【図３】
2009072529.tif 000005
【図４】
2009072529.tif 000006
【図５】
2009072529.tif 000007
【図６】
2009072529.tif 000008